(57)【要約】アダプタ装置（１０）の取付台（２０）に、予め本体装置と係止される係止部（２２１）を取付面（２１）に設ける。筐体（５０）にコネクタ（５５）を設ける。さらに、アダプタ装置（１０）には、操作レバー（４１）の操作方向の動きをコネクタの挿抜方向に変換して、筐体（５０）を取付台（２０）に対してコネクタ（５５）の挿抜方向に操作力に応じて進退させる動き方向変換部を設ける。動き方向変換部は、第１リンク機構によって、操作レバー（４１）の操作方向の動きをフック部（３２１ｆ）における取付面（２１）の平面方向の動きに変換して、第２リンク機構によって、フック部（３２１ｆ）の平面方向の動きを、取付台（２０）に対して筐体（５０）のコネクタ挿抜方向の動きに変換する。係止部（２２１）のフック部（２２１ｆ）を本体装置に係止して操作レバー（４１）を操作することで、コネクタの挿抜動作を安定して行うことができる。
2014065042.tif 000002
【特許請求の範囲】
【請求項１】
本体装置と係止される係止部が取付面に予め設けられた取付台と、
コネクタが設けられている本体部と、
操作力を受けて、操作方向の動きを前記コネクタの挿抜方向に変換して、前記本体部を前記取付台に対して前記コネクタの挿抜方向に前記操作力に応じて進退させる動き方向変換部と
を備えるアダプタ装置。
【請求項２】
前記動き方向変換部は、操作方向の動きを面方向の動きに変換する第１リンク機構と、前記面方向の動きを前記コネクタの挿抜方向の動きに変換する第２リンク機構とを備える請求項１記載のアダプタ装置。
【請求項３】
前記第１リンク機構は、
前記操作力を受けて回動する操作レバーと、
前記操作レバーの回動動作に応じて移動する駆動軸と、
前記駆動軸によって前記操作レバーの回動動作に応じて面方向に移動されるスライダーを備える請求項２記載のアダプタ装置。
【請求項４】
前記第２リンク機構は、
前記面方向に対して傾斜した傾斜面を有して、前記本体部に対して前記面方向に移動可能に取り付けられるスライダーと、
前記挿抜方向に対して傾斜した傾斜面を有して前記取付台に形成されており、前記傾斜面を前記スライダーの傾斜面が前記スライダーの前記面方向の移動によって摺動することにより、前記本体部を前記取付台に対して前記挿抜方向に移動させる方向変換部とを備える請求項２記載のアダプタ装置。
【請求項５】
前記本体部のコネクタ挿入方向の移動によって前記本体装置と係止される第２係止部を設けた請求項１記載のアダプタ装置。
【請求項６】
前記本体部に対して前記操作力に応じて前記面方向に移動可能に取り付けられたスライダーに、前記第２係止部を設けた請求項５記載のアダプタ装置。
【請求項７】
前記取付面に予め設けられている前記係止部である第１係止部と前記第２係止部はフック状に形成されており、前記第１係止部と前記第２係止部は、互いに逆方向に前記本体装置を係止する請求項６記載のアダプタ装置。
【請求項８】
前記係止部の係止方向と異なる方向の動きを前記本体装置と係合して規制する規制部を前記取付面に設けた請求項１記載のアダプタ装置。
【請求項９】
前記本体部に前記コネクタの位置を基準として前記コネクタよりも挿入方向に突出したコネクタ挿入ガイドを設け、
前記本体部が前記コネクタの挿入方向に移動することに応じて、前記コネクタ挿入ガイドを前記取付台の取付面から突出させる請求項１記載のアダプタ装置。
【請求項１０】
前記操作力を受ける操作レバーをコネクタ挿入完了位置で保持する保持機構と、
操作力を受けて前記コネクタ挿入完了位置での保持状態を解除する解除機構とを設けた請求項１記載のアダプタ装置。
【請求項１１】
前記操作レバーはコネクタ抜脱操作方向に付勢されており、
前記保持機構は、前記操作レバーが前記コネクタ挿入完了位置の状態であるときに前記操作レバーに設けられた係止部を係止して、前記操作レバーを前記コネクタ挿入完了位置で保持し、
前記解除機構は、操作力を受けて前記操作レバーに設けられた係止部の係止状態を解除する請求項１０記載のアダプタ装置。
【請求項１２】
本体装置と該本体装置に取り付けられて前記本体装置とコネクタを介して電気的接続が行われるアダプタ装置を有し、
前記アダプタ装置は、
前記本体装置と係止される係止部が取付面に予め設けられた取付台と、
前記本体装置との電気的接続に用いられる前記コネクタが設けられた本体部と、
操作レバーで操作力を受けて、操作方向の動きを前記コネクタの挿抜方向に変換して、前記本体部を前記取付台に対して前記コネクタの挿抜方向に前記操作力に応じて進退させる動き方向変換部とを備え、
前記動き方向変換部は、前記本体装置への取り付け時に前記本体装置よりも突出した前記操作レバーを非突出方向に移動させる操作力を受けて、前記操作方向の動きを前記コネクタの挿入方向に変換し、非突出状態である前記操作レバーを突出方向に移動させる操作力を受けて、前記操作方向の動きを前記コネクタの抜脱方向に変換する電子機器。
【請求項１３】
前記本体装置のアダプタ装置取付面と前記アダプタ装置には、外部機器との接続を行う外部接続コネクタが設けられており、
前記アダプタ装置は、前記コネクタを介して前記本体装置と接続されたとき、前記本体装置におけるアダプタ装置取付面の外部接続コネクタに代えて当該アダプタ装置に設けられた外部接続コネクタを利用可能とする請求項１２記載の電子機器。
【請求項１４】
前記アダプタ装置には、外部機器との接続を行う外部接続コネクタが設けられており、  前記アダプタ装置は、前記コネクタを介して前記本体装置と接続されたとき、前記外部接続コネクタを利用することで前記本体装置に接続可能な外部機器を拡張する請求項１２記載の電子機器。
【発明の詳細な説明】
【技術分野】
【０００１】
この技術は、アダプタ装置と電子機器に関し、コネクタの挿抜動作を安定して行うことができるようにする。
【背景技術】
【０００２】
従来、電子機器では機能の拡張や変更等を行うことができるように、着脱可能なアダプタ装置が設けられている。例えば特許文献１に示すように、ドッカブル構造のビデオカメラ装置では、カメラ本体部とアダプタ部（カメラアダプタやビデオテープレコーダ、その他の各種の周辺機器）が光軸方向に前後して電気的および機械的に着脱可能とされている。
【先行技術文献】
【特許文献】
【０００３】
【特許文献１】特開２０１１−２２８７６９号公報
【発明の概要】
【発明が解決しようとする課題】
【０００４】
ところで、本体装置に対してアダプタ装置を着脱する場合、コネクタに対して挿抜方向と異なる方向に力が加わると、コネクタの損傷や接触不良等の招くおそれがある。例えば、アダプタ装置のアダプタ側取付面にアダプタ側コネクタを設け、本体装置の本体側取付面には本体側コネクタを設けて、本体装置にアダプタ装置を装着する場合には、本体側コネクタにアダプタ側コネクタを嵌合させる。ここで、アダプタ側取付面における一辺を本体装置に係止させて、係止されている一辺を回転軸とした回転動作によって本体側コネクタにアダプタ側コネクタを嵌合させることができる。しかし、アダプタ側コネクタは、係止されている一辺を回転軸として回転されることから、本体側コネクタにおける挿抜方向に対して傾きを持って挿入や抜き出しが行われてしまう。【０００５】
また、ユーザがアダプタ装置を載置面の位置としてスライドさせることによりコネクタを嵌合させる場合、コネクタの挿抜時には大きな力が必要となるため、コネクタに対して均一に力を加えて挿入や引き抜きを行うことが容易でない。【０００６】
このため、挿抜方向に対して傾きを持って挿入や抜き出しが行われてしまう場合や、コネクタに対して不均一な力が加わる場合、コネクタの破損や変形、接触不良等を生じてしまい、接続部分の信頼性の低下を招いてしまう。【０００７】
そこで、この技術ではコネクタの挿抜動作を安定して行うことができるアダプタ装置と電子機器を提供することを目的とする。
【課題を解決するための手段】
【０００８】
この技術の第１の側面は、本体装置と係止される係止部が取付面に予め設けられた取付台と、コネクタが設けられている本体部と、操作力を受けて、操作方向の動きを前記コネクタの挿抜方向に変換して、前記本体部を前記取付台に対して前記コネクタの挿抜方向に前記操作力に応じて進退させる動き方向変換部とを備えるアダプタ装置にある。【０００９】
この技術において、アダプタ装置の取付台には予め本体装置と係止される係止部が取付面に設けられている。またはアダプタ装置の本体部にはコネクタが設けられている。さらにアダプタ装置には、例えば操作方向の動きを面方向の動きに変換する第１リンク機構と、面方向の動きをコネクタの挿抜方向の動きに変換する第２リンク機構を用いた動き方向変換部が設けられて、操作方向の動きをコネクタの挿抜方向に変換して、本体部を取付台に対してコネクタの挿抜方向に操作力に応じて進退させる。第１リンク機構は、例えば操作力を受けて回動する操作レバーと、操作レバーの回動動作に応じて移動する駆動軸と、駆動軸によって操作レバーの回動動作に応じて面方向に移動されるスライダーを備えている。また、第２リンク機構は、面方向に対して傾斜した傾斜面を有して、本体部に対して前記面方向に移動可能に取り付けられるスライダーと、挿抜方向に対して傾斜した傾斜面を有して取付台に形成されており、傾斜面をスライダーの傾斜面がスライダーの前記面方向の移動によって摺動することにより、本体部を取付台に対して挿抜方向に移動させる方向変換部とを備えている。さらに、本体部のコネクタ挿入方向の移動によって本体装置と係止される第２係止部が、例えば本体部に対して操作力に応じて面方向に移動可能に取り付けられたスライダーに設けられる。取付面に予め設けられている係止部である第１係止部とスライダーに設けられた第２係止部はフック状に形成されており、第１係止部と第２係止部は、互いに逆方向に本体装置と係止される。【００１０】
また、アダプタ装置には、係止部の係止方向と異なる方向の動きを本体装置と係合して規制する規制部が取付面に設けされる。さらに、本体部にはコネクタの位置を基準としてコネクタよりも挿入方向に突出したコネクタ挿入ガイドが設けられて、本体部がコネクタの挿入方向に移動することに応じて、コネクタ挿入ガイドが取付台の取付面から突出させる。【００１１】
また、操作力を受ける操作レバーをコネクタ挿入完了位置で保持する保持機構と、操作力を受けてコネクタ挿入完了位置での保持状態を解除する解除機構が設けられる。この操作レバーはコネクタ抜脱操作方向に付勢されており、保持機構は、操作レバーがコネクタ挿入完了位置とされたときに操作レバーに設けられた係止部を係止して、操作レバーをコネクタ挿入完了位置で保持し、解除機構は、操作力を受けて操作レバーに設けられた係止部の係止状態を解除する。【００１２】
この技術の第２の側面は、本体装置と該本体装置に取り付けられて前記本体装置とコネクタを介して電気的接続が行われるアダプタ装置を有し、前記アダプタ装置は、前記本体装置と係止される係止部が取付面に予め設けられた取付台と、前記本体装置との電気的接続に用いられる前記コネクタが設けられた本体部と、操作レバーで操作力を受けて、操作方向の動きを前記コネクタの挿抜方向に変換して、前記本体部を前記取付台に対して前記コネクタの挿抜方向に前記操作力に応じて進退させる動き方向変換部とを備え、前記動き方向変換部は、前記本体装置への取り付け時に前記本体装置よりも突出した前記操作レバーを非突出方向に移動させる操作力を受けて、前記操作方向の動きを前記コネクタの挿入方向に変換し、非突出状態である前記操作レバーを突出方向に移動させる操作力を受けて、前記操作方向の動きを前記コネクタの抜脱方向に変換する電子機器にある。
【発明の効果】
【００１３】
この技術によれば、アダプタ装置の取付台は、取付台の取付面に設けられた係止部によって本体装置に係止される。アダプタ装置の本体部にはコネクタが設けられており、動き方向変換部は、操作力を受けて、操作方向の動きをコネクタの挿抜方向に変換して、本体部を取付台に対してコネクタの挿抜方向に操作力に応じて進退させる。したがって、取付台は本体装置に係止されることから、本体部に設けられているコネクタは、操作力に応じて挿抜方向に移動することになり、コネクタの挿抜動作を安定して行うことができるようになる。なお、本明細書に記載された効果はあくまで例示であって限定されるものではなく、また付加的な効果があってもよい。
【図面の簡単な説明】
【００１４】
【図１】アダプタ装置の外観を例示した斜視図である。
【図２】アダプタ装置の正面図と側面図である。
【図３】筐体の正面図である。
【図４】カバー部の正面図である。
【図５】動き方向変換部が設けられた状態の取付台の正面図である。
【図６】動き方向変換部が設けられた状態の取付台の背面側を示す斜視図である。
【図７】動き方向変換部が設けられた状態の取付台の背面図と側面図である。
【図８】スライダー取付前の取付台の背面図と側面図である。
【図９】スライダーの背面図と側面図である。
【図１０】本体装置におけるアダプタ装置の取付面を例示した斜視図である。
【図１１】本体装置にアダプタ装置を係止させて操作レバーの操作を開始したときの動作を説明するための図である。
【図１２】倒伏状態へのレバー操作をさらに行った場合の動作を説明するための図である。
【図１３】起立状態から倒伏状態へのレバー操作を行った状態におけるアダプタ装置の斜視図である。
【図１４】操作レバーが傾倒状態をされた場合の動作を説明するための図である。
【図１５】アダプタ装置を本体装置から取り外す場合の動作を説明するための図である。
【図１６】アダプタ装置を用いた撮像装置の外観を例示した斜視図である（アダプタ装置がバッテリパック接続装置に適用されている場合）。
【図１７】アダプタ装置を用いた撮像装置の外観を例示した斜視図である（アダプタ装置が記録再生装置に適用されている場合）。
【図１８】撮像装置本体部の背面を示した斜視図である。
【図１９】撮像装置本体部の背面にバッテリパック接続装置を取り付けた状態を示した斜視図である。
【図２０】バッテリパック接続装置の外観を例示した図である。
【図２１】体部の背面に記録再生装置を取り付けた状態を示した斜視図である。
【図２２】記録再生装置の外観を例示した図である。
【図２３】バッテリパックの外観を例示した図である。
【図２４】撮像装置の回路構成の概略を例示した図である。
【図２５】バッテリパック接続装置とバッテリパックの回路構成の概略を例示した図である。
【図２６】記録再生装置の回路構成の概略を例示した図である。
【発明を実施するための形態】
【００１５】
以下、本技術を実施するための形態について説明する。なお、説明は以下の順序で行う。
１．アダプタ装置の構成
２．アダプタ装置の着脱動作
３．アダプタ装置を用いた電子機器
【００１６】
＜１．アダプタ装置の構成＞
アダプタ装置は、取付台と本体部と動き方向変換部とを備えている。取付台には、本体装置と係止される係止部が取付面に予め設けられている。本体部にはコネクタが設けられている。動き方向変換部は、操作力を受けて、操作方向の動きをコネクタの挿抜方向に変換して、本体部を取付台に対してコネクタの挿抜方向に操作力に応じて進退させる。
【００１７】
以下、本技術の実施の形態では、操作レバーの回動操作に応じて、本体装置に係止された取付台に対して本体部を、コネクタ挿抜方向に操作力に応じて進退させる構成について例示する。
【００１８】
図１はアダプタ装置の外観を例示した斜視図である。また、図２はアダプタ装置の正面図と側面図を示しており、図２の（Ａ）は正面図、図２の（Ｂ）は側面図である。なお、以下の説明では、本体装置に装着される面側を前面（前方）とする。
【００１９】
アダプタ装置１０は、取付台２０、本体部に相当する筐体５０、取付台２０を筐体５０に取り付けたときに本体装置側の開口部分を覆うカバー部６０を備えている。
【００２０】
取付台２０は、本体装置の取付面と対向する取付面２１に、本体装置と係止される係止部２２１を有している。係止部２２１は、例えば本体装置に設けられている係合凹部に係止されるフック部２２１ｆを有しており、取付台２０の両側端部の上下に所定の間隔を隔てて取付面２１から前方に突出して設けられている。
【００２１】
また、取付台２０は、筐体５０に設けられているコネクタ挿入ガイド５６が挿通される挿通孔２５が設けられている。
【００２２】
筐体５０には、コネクタ５５と、コネクタ５５の位置を基準としてコネクタ５５よりもコネクタ挿入方向に突出したコネクタ挿入ガイド５６が枠状に設けられている。また、筐体５０には、カバー部６０がねじ等によって固定される。さらに、筐体５０とカバー部６０によって、取付台２０が、取付台２０の挿通孔２５にコネクタ挿入ガイド５６を挿通させて、コネクタ挿抜方向に移動可能に保持される。さらに、筐体５０には、操作レバー４１に加えられた操作方向の動きを、取付台２０に対して筐体５０のコネクタ挿抜方向の動きに変換する動き方向変換部が収納されている。また、筐体５０には、コネクタ５５の端子と接続されて種々の動作を行う電気回路や、コネクタ５５の端子と筐体５０に設けられた外部接続端子等とを接続するための接続ケーブルや接続基板等が設けられる構成であってもよい。
【００２３】
なお、図１および図２では、フック部３２１ｆ、ロック解除操作レバー４５、規制凸部６４１を図示しているが、詳細については後述する。
【００２４】
図３は、筐体の正面図を示している。筐体５０には上述のようにコネクタ５５とコネクタ挿入ガイド５６が取り付けられている。筐体５０には、後述するスライダー３０（図８参照）の被支持孔３１１と対応する位置に、スライダー３０を支持する支持軸５１０が形成されており、支持軸５１０の先端には、支持軸５１０よりも径が小さい摺動ピン５１１が設けられている。スライダー３０は、被支持孔３１１に摺動ピン５１１が挿入されて、支持軸５１０と後述するカバー部６０のスライダー受部６３６，６３７によって被支持孔３１１の長手方向に対してのみ摺動可能に保持される。筐体５０の側端側には、カバー部６０を取り付けるためのねじ穴５３１が形成されている。
【００２５】
図４は、カバー部の正面図を示している。カバー部６０は、取付台２０を筐体５０に取り付けたときに、筐体５０における本体装置側の開口部分を覆うように形成されている。カバー部６０には、筐体５０のねじ穴５３１の位置に挿通孔６３１が形成されている。カバー部６０の中央部分には、取付台２０がはめ込まれる開口部６３５が形成されている。開口部６３５の側端には、スライダー受部６３６，６３７が突出して形成されている。さらに、カバー部６０において、本体装置と対向する面には、取付面に対して略平行な方向（以下単に「面方向」という）のアダプタ装置の移動を規制するための規制部が形成されている。なお、実施の形態では、規制部としてアダプタ装置に規制凸部６４１を設けて、本体装置には規制凸部６４１と嵌合される規制凹部７４１を設けた場合を例示している。
【００２６】
図５は、動き方向変換部が設けられた状態の取付台の正面図を例示している。図６は、動き方向変換部が設けられた状態の取付台の背面側を示す斜視図である。また、図７は、動き方向変換部が設けられた状態の取付台の背面図と側面図を示している。
【００２７】
動き方向変換部は、例えば操作力を受けて、操作方向の動きを面方向の動きに変換する第１リンク機構と、面方向の動きをコネクタの挿抜方向の動きに変換する第２リンク機構とを備えている。図５乃至図７では、操作レバー４１で操作力を受けて、操作レバー４１の動きをスライダー３０の面方向の動きに変換する。さらに、取付台２０では、スライダー３０の面方向の動きを、コネクタの挿抜方向の動きに変換する構成を例示している。具体的には、第１係止部に相当する係止部２２１、および係止部２２２とスライダー３０に設けた第２係止部に相当する係止部３２１の傾斜面の摺動動作によって、面方向の動きをコネクタ挿抜方向の動きに変換する構成を例示する。
【００２８】
図８は、スライダー取付前の取付台の背面図と側面図を示している。取付台２０の後面側には、操作レバー４１を回動自在に保持する回動軸２３が形成されている。また、取付台２０の後面側には、ロック解除操作レバー４５を回動自在に保持する回動軸２６が形成されている。
【００２９】
取付台２０の後面側には、操作レバー４１が倒伏状態で保持されるようにロック解除操作レバー４５を付勢するための付勢部材例えばコイルバネ４６が設けられている。さらに、取付台２０の後面側には、コイルバネ４６を保持するためのバネ保持部２７およびコイルバネ４６によって付勢されているロック解除操作レバー４５の回動を規制する回動規制部２８が設けられている。また、取付台２０の上側端部および下側端部の後端側には鍔部２９が形成されており、筐体５０とカバー部６０との間に取付台２０を設けた場合に、取付台２０の鍔部２９がカバー部６０の内面に係止されて、取付台２０の前方向の移動が規制される。
【００３０】
操作レバー４１の一端には操作部４１１が設けられており、他端には軸孔４１２が設けられている。操作レバー４１の軸孔４１２には取付台２０の回動軸２３が挿入されて、操作レバー４１が回動自在に支持される。操作レバー４１の他端には、軸孔４１２から径方向に離れた位置にスライダー駆動軸４１３が設けられており、操作レバー４１の回動動作に応じてスライダー駆動軸４１３の位置が移動するように構成されている。
【００３１】
操作レバー４１は、付勢部材によって起立方向に付勢される。例えば付勢部材としてねじりコイルバネ４２が用いられて、ねじりコイルバネ４２の一端が回動軸２３で固定されており、他端がスライダー駆動軸４１３に係止されて、操作レバー４１がねじりコイルバネ４２によって起立する方向に付勢されている。また、操作レバー４１が倒伏状態になると、操作レバー４１の一端側にフック状に形成されているレバー係止部４１５がロック解除操作レバー４５に係止されて、操作レバー４１が倒伏状態に保持される。
【００３２】
ロック解除操作レバー４５の一端には操作部４５１が設けられており、他端には軸孔４５２が設けられている。ロック解除操作レバー４５の軸孔４５２には取付台２０の回動軸２６が挿入されて、ロック解除操作レバー４５が回動自在に支持される。操作部４５１と軸孔４５２との間には、バネ保持部４５３が設けられている。このバネ保持部４５３と取付台２０に形成されているバネ保持部２７との間にコイルバネ４６が嵌装されて、ロック解除操作レバー４５の操作部４５１が、操作レバー４１の方向に回動するように付勢されている。また、ロック解除操作レバー４５は、取付台２０に形成されている回動規制部２８に当接して、ロック解除操作レバー４５の回動動作が規制される。操作部４５１の下部には、ロック解除操作レバー４５のレバー係止部４１５が係止される係止片４５５が形成されている。
【００３３】
このように構成された操作レバー４１とロック解除操作レバー４５において、操作レバー４１が操作されて付勢方向とは逆方向に回動して倒伏状態に近づくと、操作レバー４１の側端がロック解除操作レバー４５に接する。その後、操作レバー４１が回動すると、ロック解除操作レバー４５は、操作レバー４１によって付勢方向に対して逆方向に回動される。さらに、操作レバー４１が回動してレバー係止部４１５がロック解除操作レバー４５の係止片４５５の位置となると、ロック解除操作レバー４５は付勢方向に回動して、ロック解除操作レバー４５の係止片４５５に操作レバー４１のレバー係止部４１５が係止された状態となる。すなわち、操作レバー４１はロック解除操作レバー４５によって倒伏状態に固定される。また、ロック解除操作レバー４５の操作部４５１を付勢方向に対して逆方向に移動する操作を行うと、操作レバー４１のレバー係止部４１５とロック解除操作レバー４５の係止片４５５との係止状態が解除される。したがって、ロック解除操作レバー４５は、操作レバー４１をコネクタ挿入完了位置で保持する保持機構、および操作力を受けてコネクタ挿入完了位置での保持状態を解除する解除機構として動作する。なお、操作レバー４１は、ねじりコイルバネ４２によってコネクタ抜脱操作方向（コネクタ５５を本体装置のコネクタから離脱させる操作方向）に付勢されていることから、レバー係止部４１５と係止片４５５との係止状態が解除されと起立方向に回動する。
【００３４】
取付台２０の係止部２２１は、上述のように取付面２１から前方（本体装置側）に突出して形成されている。さらに、係止部２２１は、取付台２０の側端から突出した側端突出部分を有している。側端突出部分の後面側には、スライダー３０の側板部３２に形成した係止部３２１の傾斜面３２１ｓが摺動して動き方向を変換するための傾斜面２２１ｓと、傾斜面２２１ｓの後端側に連続して保持面２２１ｐが形成されている。また、係止部２２１において、取付面２１から前方に突出した突出部分の下端には、フック部２２１ｆが形成されている。
【００３５】
取付台２０の側端後方には、係止部２２１に対して所定の位置に、スライダー３０の側板部３２を移動可能に保持するための係止部２２２が突出して形成されている。係止部２２２の前面側にはスライダー３０の側板部３２を保持する保持面２２２ｐと保持面２２２ｐの下端側に連続して傾斜面２２２ｓが形成されている。この傾斜面２２２ｓとスライダー３０の側板部３２に形成した係止部３２１の傾斜面３２２ｓが摺動して動き方向の変換が行われる。
【００３６】
係止部２２１と係止部２２２は対として用いられて、係止部２２１と係止部２２２によって、スライダー３０の側板部３２が移動可能に挟持される。さらに、係止部２２１と係止部２２２の傾斜面と、スライダー３０の側板部３２に設けた係止部３２１の傾斜面とを摺動させることで、スライダー３０の面方向の動きをコネクタの挿抜方向の動きに変換する。
【００３７】
図９は、スライダーの背面図と側面図を示している。スライダー３０の基体部３１には、筐体５０に形成された支持軸５１０の先端に設けられた摺動ピン５１１が挿通される被支持孔３１１が形成されている。また、基体部３１には、操作レバー４１に設けられているスライダー駆動軸４１３が挿通される駆動軸孔３１２が形成されている。
【００３８】
スライダー３０は、被支持孔３１１に摺動ピン５１１が挿通されており、駆動軸孔３１２にスライダー駆動軸４１３が挿入された状態で用いられる。ここで、ユーザの操作力を受けて、操作レバー４１が回動軸２３を中心として回動すると、スライダー駆動軸４１３の位置が操作レバー４１の回動動作に応じて移動して、スライダー３０が被支持孔３１１の長手方向に移動される。
【００３９】
すなわち、操作レバー４１とスライダー３０は、操作方向の動きを面方向の動きに変換する第１リンク機構を構成しており、操作レバー４１に対するユーザの操作力を受けて、スライダー３０を被支持孔３１１の長手方向に移動する。
【００４０】
スライダー３０の左右の側板部３２には、係止部３２１が形成されており、係止部３２１には、面方向の動きをコネクタの挿抜方向の動きに変換するための傾斜面が形成されている。具体的には、側板部３２に設けられた係止部３２１の前方側に傾斜面３２１ｓが形成されており、側板部３２の後方側に傾斜面３２２ｓが形成されている。傾斜面３２１ｓの前方側の端部には、傾斜面３２１ｓと連続して保持面３２１ｐが面方向に直線状に形成されている。また、保持面３２１ｐの端部にはフック部３２１ｆが形成されている。傾斜面３２２ｓの前方側の端部には、傾斜面３２２ｓと連続して保持面３２２ｐが面方向に直線状に形成されている。さらに、保持面３２２ｐの端部側には、保持面３２２ｐに対して鉛直方向に係止端３２３が設けられている。なお、傾斜面３２１ｓ，３２２ｓの他端は面方向の平坦面３２４，３２５と連続するように構成されている。
【００４１】
スライダー３０は、取付台２０に設けられて対として用いられる係止部２２１と係止部２２２によって、側板部３２が移動可能に挟持される。具体的には、係止部３２１における傾斜面３２１ｓが係止部２２１の傾斜面２２１ｓを摺動して、係止部３２１における傾斜面３２１ｓが係止部２２１の傾斜面２２１ｓを摺動して、取付台２０に対してスライダー３０が移動可能に取り付けられる。このとき、スライダー３０の基体部３１に設けられた駆動軸孔３１２には、操作レバー４１のスライダー駆動軸４１３が挿通される。
【００４２】
このように、スライダー３０が取付台２０に取り付けられた状態で被支持孔３１１の長手方向に移動すると、係止部３２１の傾斜面３２１ｓが係止部２２１の傾斜面２２１ｓを摺動する。この傾斜面の摺動動作に応じて、取付台２０とスライダー３０との間隔が変化する。
【００４３】
すなわち、取付台２０の係止部２２１，２２２とスライダー３０の側板部３２は、面方向の直線運動を面方向に対して鉛直方向の直線運動に変換する第２リンク機構を構成する。この第２リンク機構によって、取付台２０に対して筐体５０は、スライダー３０の面方向の動きに応じてコネクタの挿抜方向に移動する。
【００４４】
したがって、第２リンク機構と上述の第１リンク機構によって、操作レバー４１に対するユーザの操作力を受けて、コネクタが取り付けられた筐体５０をコネクタ挿抜方向に移動させることができる。
【００４５】
＜２．アダプタ装置の着脱動作＞
次に、アダプタ装置の着脱動作について説明する。図１０は、本体装置におけるアダプタ装置の取付面を例示した斜視図である。取付面７１には、アダプタ装置１０の取付台２０に形成された係止部２２１およびスライダー３０の係止部３２１に設けたフック部３２１ｆと対向する位置に係止凹部７１１が形成されている。係止凹部７１１の端部には、係止部２２１に形成されているフック部２２１ｆが係止されるフック孔７１１ａと、係止部３２１に形成されているフック部３２１ｆが係止されるフック孔７１１ｂが設けられている。なお、本体装置は、コネクタを介してアダプタ装置と接続される電子機器であればよく、ドッカブル構造のビデオカメラ装置等だけでなく情報処理装置や端末装置等であってもよい。
【００４６】
また、本体装置７０の取付面７１には、アダプタ装置１０のコネクタ挿入ガイド５６が挿入される挿入口７６が設けられている。挿入口７６は、本体装置７０のフック孔７１１ａに、アダプタ装置１０のフック部２２１ｆが挿入されてアダプタ装置１０が本体装置７０に係止された状態において、アダプタ装置１０のコネクタ挿入ガイド５６と対向する位置に設けられている。挿入口７６にはアダプタ装置１０のコネクタ５５と結合されるコネクタ７５が設けられている。
【００４７】
さらに、本体装置７０の取付面７１には、アダプタ装置１０が取付位置とされたとき、アダプタ装置１０のカバー部６０に設けられている規制凸部６４１と対応する位置に、規制凸部６４１と嵌合する規制凹部７４１が設けられている。
【００４８】
アダプタ装置１０を本体装置７０に取り付ける場合、操作レバー４１を起立状態とする（図１，図２，図７参照）。操作レバー４１が起立状態である場合、スライダー３０に設けた係止部３２１の保持面３２１ｐ（図９参照）が取付台２０の係止部２２１における保持面２２１ｐ（図８参照）の位置とされて、取付台２０に対して筐体５０が後方に離れた位置で保持される。このように、筐体５０が後方に離れた位置とされていることから、コネクタ挿入ガイド５６は、取付台２０の取付面２１から突出していない状態となる。なお、スライダー３０は、被支持孔の端部に摺動ピン５１１が当接しておよび／または係止端３２３が係止部２２２に当接して、一方（後述する矢印ＭＢ方向に対して逆方向）の移動範囲が制限される。
【００４９】
ユーザは、アダプタ装置１０の操作レバー４１を起立状態として、取付台２０に設けられている係止部２２１のフック部２２１ｆを本体装置７０における係止凹部７１１のフック孔７１１ａに係止される。このように、フック孔７１１ａにフック部２２１ｆを係止することで、本体装置７０に対してアダプタ装置１０の取付台２０は、取付面２１に対して鉛直方向すなわちコネクタ挿抜方向の動きが規制される。
【００５０】
図１１は、本体装置にアダプタ装置を係止させて操作レバーの操作を開始したときの動作を説明するための図である。なお、図１１の（Ａ）はアダプタ装置の正面図、図１１の（Ｂ）はアダプタ装置の側面図、図１１の（Ｃ）は取付台の背面図、図１１の（Ｄ）は取付台の側面図をそれぞれ示している。なお図１１の（Ｂ）において、破線は本体装置７０の位置を示している。
【００５１】
本体装置７０に対してアダプタ装置１０の取付台２０を係止した状態で操作レバー４１を矢印ＭＡ方向（倒伏方向）に回動させると、レバー操作に応じてスライダー駆動軸４１３が移動して、図１１の（Ｃ）に示すように、スライダー３０が矢印ＭＢ方向に移動する。すなわち、上述の第１リンク機構によって、操作レバー４１の動きがスライダー３０の面方向の動きに変換される。また、スライダー３０が矢印ＭＢ方向に移動されると、図１１の（Ｄ）に示すように、係止部３２１の傾斜面３２１ｓ，３２２ｓが、係止部２２１の傾斜面２２１ｓと係止部２２２の傾斜面２２２ｓを摺動して、スライダー３０は矢印ＭＣ方向に移動する。すなわち、上述の第２リンク機構によって、スライダー３０の面方向の動きがコネクタ挿入方向の動きに変換される。ここで、筐体５０にカバー部６０が固定されており、筐体５０の支持軸５１０とカバー部６０のスライダー受部６３６，６３７によって、スライダー３０は、筐体５０に対して被支持孔３１１の孔方向のみ移動可能に保持されている。したがって、スライダー３０が矢印ＭＣ方向に移動すると、筐体５０も矢印ＭＣ方向に移動することになり、筐体５０に固定されているコネクタ５５とコネクタ挿入ガイド５６も、矢印ＭＣ方向すなわちコネクタ挿入方向に移動する。なお、筐体５０が移動する前のコネクタ挿入ガイドの先端を位置ＰＡ、本体装置７０の取付面７１を位置ＰＢとして示している。
【００５２】
このように、本体装置７０に対してアダプタ装置１０の取付台２０を係止した状態で操作レバー４１を倒伏方向に回動させると、レバー操作に応じて筐体５０が本体装置７０の方向に移動する。したがって、筐体５０に固定されているコネクタ５５とコネクタ挿入ガイド５６は、コネクタ挿入方向に移動される。
【００５３】
図１２は、倒伏状態へのレバー操作をさらに行った場合の動作を説明するための図である。なお、図１２の（Ａ）はアダプタ装置の正面図、図１２の（Ｂ）はアダプタ装置の側面図、図１２の（Ｃ）は取付台の背面図、図１２の（Ｄ）は取付台の側面図をそれぞれ示している。また、図１３は、起立状態から倒伏状態へのレバー操作を行った状態におけるアダプタ装置の斜視図を示している。
【００５４】
操作レバー４１を倒伏状態の方向に操作とすると、上述のように、係止部３２１の傾斜面３２１ｓ，３２２ｓが、係止部２２１の傾斜面２２１ｓと係止部２２２の傾斜面２２２ｓを摺動して、スライダー３０が取付台２０の方向に移動する。その後、係止部３２１の傾斜面３２１ｓ，３２２ｓが、係止部２２１の傾斜面２２１ｓ，２２２ｓを通過して、平坦面３２４，３２５が、係止部２２１における保持面２２１ｐ，２２２ｐの位置となると、スライダー３０の取付台２０の方向の移動が停止される。すなわち、保持面３２１ｐから平坦面３２４までの取付面方向の間隔が、スライダー３０の取付面方向の移動距離となる。このため、筐体５０は、この移動距離だけで取付台２０に対してコネクタ挿入方向に移動されて、コネクタ挿入ガイド５６が図１３に示すように取付面２１から突出した状態となる。
【００５５】
また、アダプタ装置１０の取付台２０に設けられている係止部２２１のフック部２２１ｆは本体装置７０における係止凹部７１１のフック孔７１１ａに係止されており、本体装置７０に対して取付台２０はコネクタ挿抜方向の動きが規制されている。ここで、取付台２０の取付面２１からコネクタ挿入ガイド５６が突出すると、コネクタ挿入ガイド５６は本体装置７０の取付面７１に設けられた挿入口７６に挿入される。したがって、コネクタ挿入ガイド５６の先端の位置ＰＡは、本体装置７０の取付面７１の位置ＰＢよりも本体装置７０の内部の位置となる。このように、コネクタ挿入ガイド５６が本体装置７０の取付面７１に設けられた挿入口７６から挿入されることにより、アダプタ装置１０のコネクタ５５と本体装置７０のコネクタ７５が正しい位置に設定されて、さらに筐体５０がコネクタ挿入方向に移動される。したがって、コネクタ５５はコネクタ挿入方向に正しく移動されてコネクタ７５と結合される。また、係止部２２１や係止部３２１が取付台２０の側端部の上下に設けられていることから、筐体５０には、取付面２１に対して鉛直方向に略均一に力が加わる。したがって、アダプタ装置１０のコネクタ５５に対してコネクタ挿入方向に略均一な力を加えて、本体装置７０のコネクタ７５と結合させることができる。
【００５６】
また、筐体５０がコネクタ挿入方向に移動すると、カバー部６０に設けられている規制凸部６４１が本体装置７０の取付面７１に設けられている規制凹部７４１に嵌合される。したがって、本体装置７０に取り付けられたアダプタ装置１０に対して面方向の力が加えられてもアダプタ装置１０の面方向の移動が規制することができるようになる。
【００５７】
図１４は、操作レバーが傾倒状態をされた場合の動作を説明するための図である。なお、図１４の（Ａ）はアダプタ装置の正面図、図１４の（Ｂ）はアダプタ装置の側面図、図１４の（Ｃ）は取付台の背面図、図１４の（Ｄ）は取付台の側面図をそれぞれ示している。
【００５８】
操作レバー４１を矢印ＭＡ方向に操作して倒伏状態とすると、レバー操作に応じてスライダー駆動軸４１３が移動してスライダー３０が矢印ＭＢ方向に移動される。ここで、スライダー３０は、傾斜面３２２ｓが係止部２２２の傾斜面２２２ｓを摺動する動作から平坦面３２４が係止部２２２の保持面２２２ｐを摺動する動作に移行する。すなわち、コネクタ挿入方向の移動が終了してコネクタ挿入完了位置となる。また、スライダー３０は、平坦面３２４が係止部２２２の保持面２２２ｐを摺動して、フック部３２１ｆが本体装置７０における係止凹部７１１のフック孔７１１ｂの方向に移動する。したがって、本体装置７０にフック部３２１ｆを係止させることができる。また、スライダー３０が矢印ＭＢ方向に移動されることにより、スライダー３０はスライダー受部６３６だけでなく、スライダー受部６３７によっても保持される。したがって、より確実に筐体５０とカバー部６０によってスライダー３０を保持することができる。なお、スライダー３０は、図１４の（Ｄ）に示すように、スライダー受部６３６，６３７の端部に当接して他方（矢印ＭＢ方向）の移動範囲が制限される。
【００５９】
操作レバー４１が倒伏状態になると、操作レバー４１に設けられているレバー係止部４１５がロック解除操作レバー４５の係止片４５５に係止されて、操作レバー４１が起立状態とならないように固定される。このとき、フック部３２１ｆは本体装置７０における係止凹部７１１のフック孔７１１ａに挿入された状態となる。すなわち、アダプタ装置１０は、本体装置７０における係止凹部７１１のフック孔７１１ａにフック部２２１ｆが挿入されて、フック孔７１１ｂにフック部３２１ｆが挿入された状態となる。すなわち、フック部２２１ｆとフック部３２１ｆが互いに逆方向にフック孔に挿入された状態となり、アダプタ装置１０を本体装置７０に確実に装着することができる。
【００６０】
次に、アダプタ装置１０を本体装置７０から取り外す場合について説明する。図１５は、アダプタ装置を本体装置から取り外す場合の動作を説明するための図である。なお、図１５の（Ａ）はアダプタ装置の正面図、図１５の（Ｂ）はアダプタ装置の側面図、図１５の（Ｃ）は取付台の背面図、図１５の（Ｄ）は取付台の側面図をそれぞれ示している。
【００６１】
アダプタ装置１０を本体装置７０から取り外す場合、ロック解除操作レバー４５を操作レバー４１の方向とは逆方向である矢印ＭＤ方向に回動させる。ロック解除操作レバー４５を矢印ＭＤ方向に回動すると、操作レバー４１のレバー係止部４１５とロック解除操作レバー４５の係止片４５５との係止状態が解除される。また、操作レバー４１には、ねじりコイルバネ４２によって起立方向に付勢されている。したがって、操作レバー４１は、ロック解除操作レバー４５との係止状態が解除されると、ねじりコイルバネ４２の付勢力によって倒伏状態から矢印ＭＥ方向に回動する。したがって、操作レバー４１の矢印ＭＥ方向の回動動作によって、スライダー３０は矢印ＭＦ方向に移動して、本体装置７０における係止凹部７１１のフック孔７１１ｂからフック部３２１ｆが引き抜かれる。
【００６２】
その後、操作レバー４１をさらに矢印ＭＥ方向に回動させると、スライダー３０が矢印ＭＦ方向に移動する。このとき、係止部３２１の傾斜面３２１ｓ，３２２ｓが、係止部２２１の傾斜面２２１ｓと係止部２２２の傾斜面２２２ｓを摺動して、スライダー３０が取付面２１に対して鉛直方向で取付面２１から離れる方向に移動する。スライダー３０は、上述のように取付面２１に対して鉛直方向（コネクタ挿抜方向）に対しては移動が規制されている。したがって、スライダー３０と共に筐体５０も取付面２１に対して鉛直方向で離れる方向に移動することになり、筐体５０に固定されているコネクタ５５も、取付面２１に対して鉛直方向で離れる方向に移動する。すなわち、スライダー３０の直線方向の動きが、コネクタ５５の抜脱方向の動きに変換される。また、係止部２２１や係止部３２１が取付台２０の側端部の上下に設けられていることから、筐体５０には、取付面２１に対して鉛直方向でアダプタ取付時とは逆方向に略均一に力が加わる。したがって、アダプタ装置１０のコネクタ５５に対してコネクタ抜脱方向に略均一な力を加えて、アダプタ装置１０のコネクタ５５を本体装置７０のコネクタ７５から離脱させることができる。
【００６３】
このように、本技術のアダプタ装置によれば、コネクタの挿抜時に、コネクタに加わる力を挿抜方向かつ略均一な力とすることができる。したがって、コネクタが挿抜方向に対して傾きを持って挿入や抜き出しが行われてしまうことやコネクタに対して不均一な力が加えられることがなく、コネクタの破損や変形、接触不良等を防止して、接続部分の信頼性を高めることができる。
【００６４】
さらに、コネクタ装着時には、アダプタ装置１０に設けられている係止部が本体装置の係合孔に挿入されており、係止部では挿入方向が逆方向とされたフック部を係合孔に挿入された状態となる。したがって、アダプタ装置１０の本体装置７０からの脱落を確実に防止でできるようになる。
【００６５】
また、上述の実施の形態では、コネクタが設けられた筐体を、操作レバーの回動操作に応じてコネクタ挿抜方向に進退させる構成を例示したが、ユーザの操作方向は上述の実施の形態に限られない。例えば動き方向変換部は、本体装置方向やフック孔７１１ａにフック部２２１ｆを挿入する方向のユーザスライド操作を、コネクタの挿抜方向の動きに変換する構成としてもよい。具体的には、第１リンク機構と第２リンク機構で動き方向変換部を構成すると場合、第１リンク機構によって本体装置方向やフック孔７１１ａにフック部２２１ｆを挿入する方向のユーザスライド操作を面方向の動きに変換する。ここで、フック孔７１１ａにフック部２２１ｆを挿入して、本体装置にアダプタ装置を係止する場合、例えば上述のように、フック部２２１ｆの挿入方向とは逆方向で面方向の動きに変換する。また、上述のように第２リンク機構によって面方向の動きをコネクタ挿抜方向の動きに変換すればよい。
【００６６】
＜３．アダプタ装置を用いた電子機器＞
次に、アダプタ装置を用いた電子機器、例えば撮像装置にアダプタ装置を用いた場合について説明する。
【００６７】
図１６，図１７は、アダプタ装置を用いた撮像装置の外観を例示した斜視図である。なお、図１６は、アダプタ装置をバッテリパック接続装置に適用した場合、図１７は、アダプタ装置を記録再生装置に適用した場合を示している。
【００６８】
撮像装置８０は、撮像装置本体部８１（電子機器の本体装置に相当）の前面に、レンズ部８２等が着脱可能に取り付けられている。撮像装置本体部８１の左側面には、ユーザインタフェース部８１２４、表示部８１２５、記録媒体挿入口８１４０等が設けられている。ユーザインタフェース部８１２４は、撮像装置の各種機能の選択や動作設定等を行うためのスイッチやボタン、ダイヤル等で構成されている。表示部８１２５は、撮像装置の設定状態や動作状態等を表示する。記録媒体挿入口８１４０には、画像記録等のために用いられる記録媒体９１が挿入される。
【００６９】
撮像装置本体部８１の背面には、図１６に示すように、バッテリパック接続装置８３を介してバッテリパック８５が接続可能とされている。また、撮像装置本体部８１の背面には、図１７に示すように、記録再生装置８４が接続可能とされており、バッテリパック８５は記録再生装置８４を介しても接続可能とされている。
【００７０】
図１８は、撮像装置本体部の背面を示した斜視図である。撮像装置本体部８１の背面８１ｂは、図１０に示すアダプタ装置の取付面と同様に構成されており、係止凹部７１１が形成されている。係止凹部７１１の端部には、フック孔７１１ａ，７１１ｂが設けられている。また、背面８１ｂには、規制凹部７４１と挿入口７６が設けられており、挿入口７６にはコネクタ７５が設けられている。さらに、背面８１ｂには、電源入力コネクタ８１３３が設けられている。
【００７１】
図１９は、撮像装置本体部の背面にバッテリパック接続装置を取り付けた状態を示した斜視図である。また、図２０は、バッテリパック接続装置の外観を例示している。なお、図２０の（Ａ）は、バッテリパック接続装置８３において、撮像装置本体部８１の背面８１ｂとの対向面側（以下「本体取付面」という）を示している。図２０の（Ｂ）は、バッテリパック接続装置８３の右側面（撮像装置本体部８１に取り付けた時の撮像装置本体部右側面側）、図２０の（Ｃ）は、バッテリパック接続装置８３の左側面（撮像装置本体部８１に取り付けた時の撮像装置本体部左側面側）を示している。図２０の（Ｄ）は、バッテリパック接続装置８３において、本体取付面と対向する面であるバッテリパック取付面を示している。図２０の（Ｅ）は、バッテリパック接続装置８３の上面を示している。
【００７２】
バッテリパック接続装置８３の本体取付面は、図２０の（Ａ）に示すように、上述のアダプタ装置の取付面側（図２参照）と同様に構成されている。バッテリパック接続装置８３のバッテリパック取付面には、図１９および図２０の（Ｃ）に示すように、バッテリパック取付部８３２１とバッテリパックコネクタ８３２５および位置決めガイド８３２６が設けられている。さらに、図２０の（Ｃ）に示すように、バッテリパック接続装置８３の左右側面のそれぞれから突出部が設けられており、一方の突出部には電源入力コネクタ８３１３が設けられており、他方の突出部には電源出力コネクタ８３１４が設けられている。
【００７３】
バッテリパック取付部８３２１には、略Ｖ字状の保持凹部８３２１ａが形成されている。保持凹部８３２１ａは、断面が例えば台形状で開口側がバッテリパック接続装置側よりも狭く形成されている。リリースレバー８３２２の一方の端部は、ユーザによって操作される操作部８３２２ａとされており、他方の端部は、保持凹部８３２１ａの内側側面から突出して係止爪８３２２ｂとされている。リリースレバー８３２２は、係止爪８３２２ｂが保持凹部８３２１ａの側面から突出方向（例えばバッテリパック接続装置８３の左側面から突出する方向）に付勢されている。リリースレバー８３２２は、ユーザ等によって操作部８３２２ａが付勢力方向に対して逆方向に操作された場合、保持凹部８３２１ａの側面から突出している係止爪８３２２ｂが、突出方向に対して逆方向に移動するように構成されている。
【００７４】
バッテリパックコネクタ８３２５は、バッテリパック取付部８３２１の位置決めガイド８３２６にバッテリパック８５の位置決め溝８５２６が嵌合されたとき、バッテリパック８５の接続端子と対応する位置に設けられている。
【００７５】
位置決めガイド８３２６は、バッテリパック８５をバッテリパック接続装置８３に取り付ける際に、バッテリパック８５を所定位置に規制するようにバッテリパック取付面から突出して、バッテリパックコネクタ８３２５のコネクタ挿入方向に形成されている。
【００７６】
電源入力コネクタ８３１３と電源出力コネクタ８３１４は、左右側面の突出部に設けられている。したがって、バッテリパック接続装置８３にバッテリパック８５が接続されても、電源入力コネクタ８３１３と電源出力コネクタ８３１４を利用することが可能とされている。
【００７７】
図２１は、撮像装置本体部の背面に記録再生装置を取り付けた状態を示した斜視図である。また、図２２は、記録再生装置の外観を例示している。なお、図２２の（Ａ）は、記録再生装置８４において、撮像装置本体部８１の背面８１ｂとの対向面側（以下「本体取付面」という）を示している。図２２の（Ｂ）は、記録再生装置８４の右側面（撮像装置本体部８１に取り付けた時の撮像装置本体部右側面側）、図２２の（Ｃ）は、記録再生装置８４の左側面（撮像装置本体部８１に取り付けた時の撮像装置本体部左側面側）を示している。図２２の（Ｄ）は、記録再生装置８４において、本体取付面と対向するバッテリパック取付面を示している。図２２の（Ｅ）は、記録再生装置８４の上面を示している。
【００７８】
記録再生装置８４の本体取付面は、図２２の（Ａ）に示すように、上述のアダプタ装置の取付面側（図２参照）と同様に構成されている。記録再生装置８４のバッテリパック取付面には、図２１および図２２の（Ｃ）に示すように、バッテリパック取付部８４２１とバッテリパックコネクタ８４２５および位置決めガイド８４２６が設けられている。さらに、図２２の（Ｃ）に示すように、記録再生装置８４の右側面には電源入力コネクタ８４１３、電源出力コネクタ８４１４、信号出力端子８４１５が設けられている。
【００７９】
バッテリパック取付部８４２１には、略Ｖ字状の保持凹部８４２１ａが形成されている。保持凹部８４２１ａは、断面が例えば台形状で開口側が記録再生装置側よりも狭く形成されている。リリースレバー８４２２の一方の端部は、ユーザによって操作される操作部８４２２ａとされており、他方の端部は、保持凹部８４２１ａの内側側面から突出して係止爪８４２２ｂとされている。リリースレバー８４２２は、係止爪８４２２ｂが保持凹部８４２１ａの側面から突出するにように付勢されている。リリースレバー８４２２は、係止爪８４２２ｂが保持凹部８４２１ａの側面から突出方向（例えば記録再生装置８４の左側面から突出する方向）に付勢されている。リリースレバー８４２２は、ユーザ等によって操作部８４２２ａが付勢力方向に対して逆方向に操作された場合、保持凹部８４２１ａの側面から突出している係止爪８４２２ｂが、突出方向に対して逆方向に移動するように構成されている。
【００８０】
バッテリパックコネクタ８４２５は、バッテリパック取付部８４２１の位置決めガイド８４２６にバッテリパック８５の位置決め溝８５２６が嵌合されたとき、バッテリパック８５の接続端子と対応する位置に設けられている。
【００８１】
位置決めガイド８４２６は、バッテリパック８５を記録再生装置８４に取り付ける際に、バッテリパック８５を所定位置に規制するようにバッテリパック取付面から突出して、バッテリパックコネクタ８４２５のコネクタ挿入方向に形成されている。
【００８２】
電源入力コネクタ８４１３と電源出力コネクタ８４１４、信号出力端子８４１５は、記録再生装置８４の側面に設けられている。したがって、記録再生装置８４にバッテリパック８５が接続されても、電源入力コネクタ８４１３と電源出力コネクタ８４１４および信号出力端子８４１５を利用することが可能されている。
【００８３】
記録再生装置８４の上面には、記録媒体挿入口（図示せず）を覆う挿入口開閉蓋８４２７が設けられている。挿入口開閉蓋８４２７には操作レバー８４２８が設けられており、操作レバー８４２８によって例えば挿入口開閉蓋８４２７を閉状態で固定することが可能とされている。ユーザは記録再生装置８４を用いる場合、挿入口開閉蓋８４２７を開状態として、挿入口に記録媒体９２を挿入する。その後、挿入口開閉蓋８４２７を閉状態として、記録媒体９２に対して記録や再生を行う。また、操作レバー８４２８を操作して挿入口開閉蓋８４２７を開状態とすることで、挿入されている記録媒体９２を取り出すことが可能となる。
【００８４】
図２３は、バッテリパックの外観を例示している。なお、図２３の（Ａ）は、バッテリパック８５において、バッテリパック接続装置８３または記録再生装置８４のバッテリパック取付面と対向する取付面を示している。図２３の（Ｂ）は、バッテリパック８５の右側面（撮像装置本体部８１に取り付けた時の撮像装置本体部右側面側）、図２３の（Ｃ）は、バッテリパック８５の左側面（撮像装置本体部８１に取り付けた時の撮像装置本体部左側面側）を示している。図２３の（Ｄ）は、バッテリパック８５の背面を示しており、図２２の（Ｅ）は、バッテリパック８５の下面を示している。
【００８５】
バッテリパック８５の取付面は、図２３の（Ａ）に示すように、係止凸部８５２１と接続端子部８５２５、位置決め溝８５２６が設けられている。
【００８６】
係止凸部８５２１は、バッテリパック接続装置８３におけるバッテリパック取付部８３２１の保持凹部８３２１ａ、または記録再生装置８４におけるバッテリパック取付部８４２１の保持凹部８４２１ａに対応する略字状の形状とされている。係止凸部８５２１は、断面が例えば台形状で先端側がバッテリパック側よりも広く形成されている。係止凸部８５２１の側面には、リリースレバー８３２２（８４２２）の係止爪８３２２ｂ（８４２２ｂ）が挿入される係止爪保持部８５２２ｂが設けられている。したがって、係止凸部８５２１が保持凹部８３２１ａ（８４２１ａ）に挿入されると、バッテリパック８５は、取付面に対して鉛直方向の動きが規制される。また、係止爪保持部８５２２ｂに、リリースレバー８３２２（８４２２）の係止爪８３２２ｂ（８４２２ｂ）が挿入されて、バッテリパック８５は、バッテリパック接続装置８３や記録再生装置８４と一体化された状態で固定される。
【００８７】
接続端子部８５２５は、バッテリパック８５から撮像装置本体部等に電力を供給するための端子や、バッテリパックにおける充放電動作等に関する通信等を行うため端子等で構成されている。
【００８８】
位置決め溝８５２６は、バッテリパック８５の下端からコネクタに対する接続端子部８５２５の挿脱方向に形成されている。位置決め溝８５２６の間隔と溝幅は、位置決めガイド８３２６（８４２６）に対応して形成されている。したがって、位置決めガイド８３２６（８２２６）が位置決め溝８５２６を摺動するようにバッテリパック８５をスライドさせることで、コネクタに対して接続端子部８５２５の挿脱を正しく行うことができる。
【００８９】
次に、撮像装置本体部の回路構成について説明する。図２４は、撮像装置本体部の回路構成の概略を例示している。撮像装置本体部８１は、撮像部８１１１、ＲＡＷデータ書き出し部８１１２、ディベイヤ処理部８１１３、増感／減感・ゲイン調整・色空間変換部８１１４、ＩＤＴ（Input Device Transform）処理部８１１５、色修正部８１１６、ＯＤＴ（Onput Device Transform）処理部８１１７、コーデック部８１１８、データ処理部８１１９を有している。また、撮像装置本体部８１は、エフェクティブマーカ合成部８１２１、メタデータ取得部８１２２、入出力部８１２３、ユーザインタフェース部８１２４、表示部８１２５、制御部８１３０、電源部８１３５を有している。さらに、撮像装置本体部８１には、電源入力コネクタ８１３３、コネクタ７５が設けられている。
【００９０】
また、撮像装置は、図示せずも、ＣＰＵ（Central Processing Unit）、ＲＯＭ（Read Only Memory）、ＲＡＭ(Random Access Memory)、ストレージ等からなるコンピュータシステムを用いて構成してもよい。この場合、メモリやストレージ等に記憶されたプログラムをＣＰＵで実行することで、コンピュータシステムを、ＲＡＷファイル書き出し部８１１２、ディベイヤ処理部８１１３、増感／減感・ゲイン調整・色空間変換部８１１４、ＩＤＴ処理部８１１５、色修正部８１１６、ＯＤＴ処理部８１１７、コーデック部８１１８、データ処理部８１１９、エフェクティブマーカ合成部８１２１、メタデータ取得部８１２２等として動作させる。
【００９１】
撮像部８１１１は、例えばＣＭＯＳ（Complementary Metal Oxide Semiconductor）やＣＣＤ（Charge Coupled Device）等の撮像素子を用いて構成されており、撮像画像のＲＡＷデータを生成する。
【００９２】
ＲＡＷデータ書き出し部８１１２は、撮像部８１１１により得られたＲＡＷデータに対して、ＥＩ（Exposure Index Of Photo Meter）に基づくゲイン調整や、所定の色空間に変換する処理を行う。ＲＡＷデータ書き出し部８１１２は、処理後のＲＡＷデータを入出力部８１２３へ出力する。
ディベイヤ処理部８１１３は、撮像部８１１１により得られたＲＡＷデータに対して色補間などを行い、ＲＧＢ画像（画像データ）を生成する。
【００９３】
増感／減感・ゲイン調整・色空間変換部８１１４は、ディベイヤ処理部８１１３により得られた画像データに対して増感処理及び減感処理などを行う。増感／減感・ゲイン調整・色空間変換部８１１４は、増感処理及び減感処理が施された画像データに対して、メタデータ取得部８１２２より取得されたメタデータをもとにゲイン調整を行う。増感／減感・ゲイン調整・色空間変換部８１１４は、例えばホワイトバランス（White Balance）およびイメージャ感度（ISO Sensitivity）とＥＩ（Exposure Index Of Photo Meter）をもとにゲイン調整を行い、画像データを撮像部８１１１の色空間の画像データを標準の色空間の画像データに変換する。
【００９４】
ＩＤＴ処理部８１１５は、増感／減感・ゲイン調整・色空間変換部８１１４より出力された画像データを、メタデータ取得部８１２２より取得されたメタデータをもとにＡＳＣ−ＣＤＬを用いた色調整のための値に変換する。ＩＤＴ処理部８１１５は、例えば撮影ガンマ（Capture Gamma Equation）およびＣＤＬ適用ガンマ（Gamma For CDL）をもとに変換を行う。
【００９５】
色修正部８１１６は、ＩＤＴ処理部８１１５によって変換された画像データにメタデータ取得部８１２２により取得したＡＳＣ−ＣＤＬを適用して色の修正を行う。
【００９６】
ＯＤＴ処理部８１１７は、色修正部８１１６により色修正された画像データの色空間を撮像装置８０に接続されたモニターの色空間に変換して当該モニターに出力する。
【００９７】
コーデック部８１１８は、画像データの符号化処理、例えばＭＰＥＧ−２やＨ．２６４／ＡＶＣ，Ｈ．２６５／ＨＥＶＣ等の規格に対応した符号化処理を行いデータ処理部８１１９へ出力する。またデータ処理部８１１９によって記録媒体９１から読み出された符号化データの復号処理を行う。例えばコーデック部８１１８は、色修正部８１１６で処理された画像データの符号化処理を行いデータ処理部８１１９へ出力し、記録媒体９１から読み出された符号化データの復号処理を行い、ＯＤＴ処理部８１１７へ出力する。なお、コーデック部８１１８は、ＩＤＴ処理部８１１５で処理された画像データの符号化処理を行いデータ処理部８１１９へ出力し、記録媒体９１から読み出された符号化データの復号処理を行い、色修正部８１１６へ出力する構成であってもよい。また、コーデック部８１１８は、他の画像データの符号化処理等を行う構成であってもよい。
【００９８】
データ処理部８１１９は、コーデック部８１１８から供給された符号化データ等を記録媒体９１に記録する処理を行う。また、データ処理部８１１９は、記録媒体９１に記録されている符号化データ等を読み出してコーデック部８１１８に出力する処理を行う。
【００９９】
記録媒体９１は、例えばメモリカード等が用いられており、データ処理部８１１９から供給された符号化データ等を記録する。また、記録媒体９１は、撮像装置本体部８１に対して着脱自在に設けられている。
【０１００】
エフェクティブマーカ合成部８１２１は、増感／減感・ゲイン調整・色空間変換部８１１４より出力された画像データに、メタデータ取得部８１２２で取得されたエフェクティブマーカ（Effective Marker）のグラフィックスを合成する。エフェクティブマーカ合成部８１２１は、合成後の画像データをビューファインダ（図示せず）に出力する。
【０１０１】
メタデータ取得部８１２２は、撮影ガンマ、ホワイトバランス、ＲＡＷデータのブラック／グレー／ホワイトの値、ＣＤＬ適用ガンマ等をメタデータとして取得する。メタデータ取得部８１２２は取得したメタデータを、撮像部８１１１、増感／減感・ゲイン調整・色空間変換部８１１４、ＩＤＴ処理部８１１５、色修正部８１１６等に供給する。また、メタデータ取得部８１２２は、ＥＩ、エフェクティブマーカ（Effective Marker）、ＡＳＣ−ＣＤＬを取得して、増感／減感・ゲイン調整・色空間変換部８１１４、エフェクティブマーカ合成部８１２１、色修正部８１１６等に供給する。
【０１０２】
メタデータ取得部８１２２は、ＥＩを取得するＥＩ取得部（照度取得部）を有する。ＥＩ取得部（図示せず）は、照度計を用いて構成されており、照度計から有線または無線で送信された測定値をリアルタイムに取得し、露出指標値であるＥＩ（Exposure Index of Photo Meter）の値に変換する。また、メタデータ取得部８１２２は、ユーザインタフェース部８１２４を介して撮影者や撮影監督などより入力されたエフェクティブマーカ（Effective Marker）およびＡＳＣ−ＣＤＬを受け付ける。
【０１０３】
入出力部８１２３は、撮像部８１１１で得られたＲＡＷデータおよびメタデータ取得部８１２２で取得されたメタデータとを互いに関連付けてコネクタ７５を介して後段へ出力する。また、入出力部８１２３は、コネクタ７５を介して後段から供給されたＲＡＷデータをディベイヤ処理部８１１３、メタデータをメタデータ取得部８１２２へそれぞれ出力する。
【０１０４】
ユーザインタフェース部８１２４は、上述のように撮像装置の各種機能の選択や動作設定等を行うためのスイッチやボタン，ダイヤル等からなり、ユーザ操作に応じた操作信号を制御部８１３０へ出力する。
【０１０５】
表示部８１２５は、制御部８１３０からの制御信号に基づき、撮像装置の設定状態や動作状態等を表示する。
【０１０６】
制御部８１３０は、ユーザインタフェース部８１２４から供給された操作信号に基づき制御信号を生成して各部に供給することで、撮像装置８０でユーザ操作に応じた動作や設定が行われるように各部を制御する。
【０１０７】
電源部８１３５は、コネクタ７５または電源入力コネクタ８１３３を介して供給された電力を所望の電源電圧として、各部に電力供給を行う。
【０１０８】
次に、アダプタ装置を適用したバッテリパック接続装置８３や記録再生装置８４の回路構成について説明する。バッテリパック接続装置８３や記録再生装置８４には、外部接続コネクタを設ける。バッテリパック接続装置８３や記録再生装置８４は、撮像装置本体部８１に取り付けられて撮像装置本体部８１の背面８１ｂに設けられている外部接続コネクタが使用できなくなる場合、バッテリパック接続装置８３や記録再生装置８４に設けた外部接続コネクタで代用できるようにする。また、バッテリパック接続装置８３や記録再生装置８４は、撮像装置本体部８１に取り付けられて場合、バッテリパック接続装置８３や記録再生装置８４に設けた外部接続コネクタを利用することで、撮像装置本体部８１に接続可能な外部機器を拡張できるようにする。
【０１０９】
図２５は、バッテリパック接続装置とバッテリパックの回路構成の概略を例示している。バッテリパック接続装置８３は、撮像装置８０の撮像装置本体部８１とバッテリパック８５の接続を行う。バッテリパック接続装置８３には、上述のように、コネクタ５５、電源入力コネクタ８３１３、電源出力コネクタ８３１４、バッテリパックコネクタ８３２５が設けられている。また、バッテリパック接続装置８３は、電源部８３０１を有している。
【０１１０】
コネクタ５５は、撮像装置本体部８１のコネクタ７５と接続されるコネクタである。電源入力コネクタ８３１３は、外部電源装置から撮像装置本体部８１に電力を供給するためのコネクタである。電源出力コネクタ８３１４は、外部機器に電力を供給するためのコネクタである。バッテリパックコネクタ８３２５は、バッテリパック８５と電気的接続を行うためのコネクタである。
【０１１１】
電源部８３０１は、電源入力コネクタ８３１３またはバッテリパック８５から供給された電力の何れかを選択してコネクタ５５および電源出力コネクタ８３１４から出力する。このように、電源部８３０１は電源入力コネクタ８３１３から供給された電力をコネクタ５５から出力する。したがって、撮像装置本体部８１の背面８１ｂにバッテリパック接続装置８３が設けられて電源入力コネクタ８１３３が使用できなくとも、バッテリパック接続装置８３に設けられた電源入力コネクタ８３１３で代用出来るようになる。
【０１１２】
バッテリパック８５は、二次電池８５０１と充放電制御部８５０２を有している。二次電池８５０１は、例えばリチウムイオン電池等の二次電池が用いられている。充放電制御部８５０２は、二次電池８５０１で過充電や過放電を生じないように保護する。また、充放電制御部８５０２は、二次電池８５０１の充電が適切に行われるように制御する。バッテリパック８５は、接続端子部８５２５を介して外部機器への電力供給を行う。
【０１１３】
図２６は、記録再生装置の回路構成の概略を例示している。記録再生装置８４は、撮像装置８０の撮像装置本体部８１で生成された画像信号等の記録再生および撮像装置本体部８１とバッテリパック８５の接続を行う。
【０１１４】
記録再生装置８４には、上述のように、コネクタ５５、電源入力コネクタ８４１３、電源出力コネクタ８４１４、信号出力端子８４１５、バッテリパックコネクタ８４２５が設けられている。また、記録再生装置８４は、イコライザ８４０１、ドライバ８４０２，８４０７、データ処理部８４０３、制御部８４０５、電源部８４０６、記録媒体９２を有している。
【０１１５】
コネクタ５５は、撮像装置本体部８１のコネクタ７５と接続されるコネクタである。電源入力コネクタ８４１３は、外部電源装置から撮像装置本体部８１に電力を供給するためのコネクタである。電源出力コネクタ８４１４は、外部機器に電力を供給するためのコネクタである。信号出力端子８４１５は、外部機器に画像信号等を出力するための端子である。バッテリパックコネクタ８４２５は、バッテリパック８５と電気的接続を行うためのコネクタである。
【０１１６】
イコライザ８４０１は、撮像装置本体部８１の入出力部８１２３から供給されたデータの信号に対して、伝送時における特性変化の調整を行い、データ処理部８４０３へ出力する。
【０１１７】
ドライバ８４０２は、データ処理部８４０３から供給されたデータを撮像装置本体部８１の入出力部８１２３へ出力する。
【０１１８】
データ処理部８４０３は、撮像装置本体部８１の入出力部８１２３から供給されたデータ信号であるＲＡＷデータやメタデータを記録媒体９２に記録する処理を行う。また、データ処理部８４０３は、記録媒体９２に記録されているＲＡＷデータやメタデータを読み出して、ドライバ８４０２を介して撮像装置本体部８１の入出力部８１２３へ出力する処理を行う。さらにデータ処理部８４０３は、ＲＡＷデータやメタデータ等をドライバ８４０７を介して外部機器へ出力する。
【０１１９】
記録媒体９２は、例えばメモリカード等が用いられており、データ処理部８４０３から供給されたＲＡＷデータやメタデータを記録する。また、記録媒体９２は、記録再生装置８４に対して着脱自在に設けられている。
【０１２０】
ドライバ８４０７は、データ処理部８４０３から供給されたＲＡＷデータ等を信号出力端子８４１５から外部機器へ出力することで、例えば外部機器で撮影画像のモニタリング等を行えるようにする。
【０１２１】
制御部８４０５は、撮像装置本体部８１の制御部８１３０と通信を行い、記録再生装置８４でユーザ操作に応じた動作が行われるように各部を制御する。
【０１２２】
電源部８４０６は、電源入力コネクタ８４１３またはバッテリパック８５から供給された電力の何れかを選択してコネクタ５５および電源出力コネクタ８４１４から出力する。また、電源部８４０６は、電源入力コネクタ８４１３またはバッテリパック８５から供給された電力を所望の電源電圧として、各部に電力供給を行う。このように、電源部８４０６は電源入力コネクタ８４１３から供給された電力をコネクタ５５から出力する。したがって、撮像装置本体部８１の背面８１ｂに記録再生装置８４が設けられて電源入力コネクタ８１３３が使用できなくとも、記録再生装置８４に設けられた電源入力コネクタ８４１３で代用出来るようになる。
【０１２３】
また、記録再生装置８４には、信号出力端子８４１５が設けられており、記録再生装置８４を撮像装置本体部８１に接続することで、撮像装置本体部８１で生成された信号等を信号出力端子８４１５から出力することが可能となる。したがって、撮像装置本体部８１に接続可能な外部機器を拡張することができる。例えば撮像装置本体部８１は、種々のカメラ信号処理が行われた画像データ等を出力する信号出力端子を設け、信号出力端子８４１５では、カメラ信号処理前のＲＡＷデータを出力する。このようにすれば、ＲＡＷデータを用いる外部機器の接続が可能となり、撮像装置本体部８１に接続可能な外部機器を拡張できる。
【０１２４】
このようなアダプタ装置を用いた電子機器では、本体装置へのアダプタ装置取り付け時に、本体装置よりも突出した操作レバーを非突出方向に移動させる操作力を受けて、操作方向の動きをコネクタの挿入方向に変換する。また、アダプタ装置取り外し時に、非突出状態である操作レバーを突出方向に移動させる操作力を受けて、操作方向の動きをコネクタの抜脱方向に変換する。
【０１２５】
例えば、アダプタ装置が適用されているバッテリパック接続装置８３や記録再生装置８４において、撮像装置本体部８１への取り付け前の状態では、操作レバー４１を起立状態として撮像装置本体部８１の筐体上面よりも突出した位置とする。バッテリパック接続装置８３や記録再生装置８４は、撮像装置本体部８１への取り付け時に操作レバー４１を起立状態から倒伏状態とする操作力を受けて、操作方向の動きをコネクタの挿入方向に変換する。また、操作レバー４１は、倒伏状態となることで撮像装置本体部８１の筐体上面よりも突出していない位置となる。バッテリパック接続装置８３や記録再生装置８４は、撮像装置本体部８１からの取り外し時に操作レバー４１を倒伏状態から起立状態とする操作力を受けて、操作方向の動きをコネクタの抜脱方向に変換する。
【０１２６】
このようにバッテリパック接続装置８３や記録再生装置８４を構成すれば、撮像装置本体部８１への取り付け時には、操作レバー４１が撮像装置本体部８１の筐体上面よりも突出して起立状態とされているので、レバー操作を容易に行うことができる。また、バッテリパック接続装置８３や記録再生装置８４が撮像装置本体部８１に取り付けられている状態では、操作レバー４１が倒伏状態とされて、撮像装置本体部８１の筐体上面よりも突出していない位置となる。したがって、撮像装置８０の使用中に操作レバー４１が誤って操作されてしまうことを防止できる。
【０１２７】
また、起立状態から倒伏状態に操作レバー４１を操作することで、撮像装置本体部８１のコネクタ７５およびバッテリパック接続装置８３や記録再生装置８４のコネクタ５５に加わる力を挿抜方向かつ略均一な力とすることができる。したがって、コネクタが挿抜方向に対して傾きを持って挿入や抜き出しが行われてしまうことやコネクタに対して不均一な力が加えられることがない。このため、撮像装置本体部８１やバッテリパック接続装置８３や記録再生装置８４のコネクタの破損や変形、接触不良等を防止できる。
【０１２８】
さらに、コネクタ装着時には、バッテリパック接続装置８３や記録再生装置８４に設けられている係止部が撮像装置本体部８１の係合孔に挿入されており、係止部では挿入方向が逆方向とされたフック部を係合孔に挿入された状態となる。したがって、撮像装置本体部８１からのバッテリパック接続装置８３や記録再生装置８４の脱落を確実に防止できるようになる。
【０１２９】
また、バッテリパック接続装置８３や記録再生装置８４が装着されたことにより、撮像装置本体部８１の背面側に設けた電源入力コネクタ８１３３が利用できなくなる場合が生じる。この場合、バッテリパック接続装置８３に設けられた電源入力コネクタ８３１３や記録再生装置８４に設けられた電源入力コネクタ８４１３よって、代用が可能とされていることから、利便性の低下等を防止できる。また、記録再生装置８４には、外部機器との接続を行う信号出力端子が設けられており、この信号出力端子を用いることで撮像装置本体部８１に接続可能な外部機器を拡張することができる。
【０１３０】
なお、電子機器は撮像装置に限られるものではなく、各種情報の処理を行う情報処理装置等の機器であってもよい。また、操作レバー４１は上面に限らず側面や下面または背面に設けてもよい。
【０１３１】
さらに、上述の実施の形態では、コネクタが設けられた筐体を、操作レバーの回動操作に応じてコネクタ挿抜方向に進退させる構成を例示したが、ユーザの操作方向は上述の実施の形態に限られない。例えば動き方向変換部は、本体装置方向やフック孔７１１ａにフック部２２１ｆを挿入する方向のユーザスライド操作を、コネクタの挿抜方向の動きに変換する構成としてもよい。具体的には、第１リンク機構と第２リンク機構で動き方向変換部を構成すると場合、第１リンク機構によって本体装置方向やフック孔７１１ａにフック部２２１ｆを挿入する方向のユーザスライド操作を面方向の動きに変換する。ここで、フック孔７１１ａにフック部２２１ｆを挿入して、本体装置にアダプタ装置を係止する場合、例えば上述のように、フック部２２１ｆの挿入方向とは逆方向で面方向の動きに変換する。また、上述のように第２リンク機構によって面方向の動きをコネクタ挿抜方向の動きに変換すればよい。
【０１３２】
さらに、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、請求の範囲を参酌すべきである。
【０１３３】
なお、本技術のアダプタ装置は以下のような構成も取ることができる。
（１）  本体装置と係止される係止部が取付面に予め設けられた取付台と、
コネクタが設けられている本体部と、
操作力を受けて、操作方向の動きを前記コネクタの挿抜方向に変換して、前記本体部を前記取付台に対して前記コネクタの挿抜方向に前記操作力に応じて進退させる動き方向変換部と
を備えるアダプタ装置。
（２）  前記動き方向変換部は、操作方向の動きを面方向の動きに変換する第１リンク機構と、前記面方向の動きを前記コネクタの挿抜方向の動きに変換する第２リンク機構とを備える（１）に記載のアダプタ装置。
（３）  前記第１リンク機構は、
前記操作力を受けて回動する操作レバーと、
前記操作レバーの回動動作に応じて移動する駆動軸と、
前記駆動軸によって前記操作レバーの回動動作に応じて面方向に移動されるスライダーを備える（２）に記載のアダプタ装置。
（４）  前記第２リンク機構は、
前記面方向に対して傾斜した傾斜面を有して、前記本体部に対して前記面方向に移動可能に取り付けられるスライダーと、
前記挿抜方向に対して傾斜した傾斜面を有して前記取付台に形成されており、前記傾斜面を前記スライダーの傾斜面が前記スライダーの前記面方向の移動によって摺動することにより、前記本体部を前記取付台に対して前記挿抜方向に移動させる方向変換部とを備える（２）または（３）の何れかに記載のアダプタ装置。
（５）  前記本体部のコネクタ挿入方向の移動によって前記本体装置と係止される第２係止部を設けた（１）乃至（４）の何れかに記載のアダプタ装置。
（６）  前記本体部に対して前記操作力に応じて前記面方向に移動可能に取り付けられたスライダーに、前記第２係止部を設けた（５）に記載のアダプタ装置。
（７）  前記取付面に予め設けられている前記係止部である第１係止部と前記第２係止部はフック状に形成されており、前記第１係止部と前記第２係止部は、互いに逆方向に前記本体装置を係止する（６）に記載のアダプタ装置。
（８）  前記係止部の係止方向と異なる方向の動きを前記本体装置と係合して規制する規制部を前記取付面に設けた（１）乃至（７）の何れかに記載のアダプタ装置。
（９）  前記本体部に前記コネクタの位置を基準として前記コネクタよりも挿入方向に突出したコネクタ挿入ガイドを設け、前記本体部が前記コネクタの挿入方向に移動することに応じて、前記コネクタ挿入ガイドを前記取付台の取付面から突出させる（１）乃至（８）の何れかに記載のアダプタ装置。
（１０）  前記操作力を受ける操作レバーをコネクタ挿入完了位置で保持する保持機構と、
操作力を受けて前記コネクタ挿入完了位置での保持状態を解除する解除機構とを設けた（１）乃至（９）の何れかに記載のアダプタ装置。
（１１）  前記操作レバーはコネクタ抜脱操作方向に付勢されており、
前記保持機構は、前記操作レバーが前記コネクタ挿入完了位置の状態であるときに前記操作レバーに設けられた係止部を係止して、前記操作レバーを前記コネクタ挿入完了位置で保持し、
前記解除機構は、操作力を受けて前記操作レバーに設けられた係止部の係止状態を解除する（１０）に記載のアダプタ装置。
【産業上の利用可能性】
【０１３４】
この技術のアダプタ装置と電子機器では、取付台の取付面に設けられた係止部によって取付台が本体装置に係止される。本体部にはコネクタが設けられており、動き方向変換部は、操作力を受けて、操作方向の動きをコネクタの挿抜方向に変換して、本体部を取付台に対してコネクタの挿抜方向に操作力に応じて進退させる。このように、取付台は本体装置に係止されていることから、本体部に設けられているコネクタは、操作力に応じて挿抜方向に移動することになり、コネクタの挿抜動作を安定して行うことができるようになる。したがって、この技術は、ドッカブル構造のビデオカメラ装置等のように、コネクタを介して電子機器に着脱自在に取り付けられるアダプタ装置に適している。
【符号の説明】
【０１３５】
１０・・・アダプタ装置、２０・・・取付台、２１，７１・・・取付面、２３，２６・・・回動軸、２５・・・挿通孔、２７・・・バネ保持部、２８・・・回動規制部、２９・・・鍔部、３０・・・スライダー、３１・・・基体部、３２・・・側板部、４１・・・操作レバー、４２・・・ねじりコイルバネ、４５・・・ロック解除操作レバー、４６・・・コイルバネ、５０・・・筐体、５５，７５・・・コネクタ、５６・・・コネクタ挿入ガイド、６０・・・カバー部、７０・・・本体装置、７６・・・挿入口、８０・・・撮像装置、８１・・・撮像装置本体部、８１ｂ・・・背面、８２・・・レンズ部、８３・・・バッテリパック接続装置、８４・・・記録再生装置、８５・・・バッテリパック、９１，９２・・・記録媒体、２２１，２２２，３２１・・・係止部、２２１ｆ，３２１ｆ・・・フック部、２２１ｐ，２２２ｐ，３２１ｐ，３２２ｐ・・・保持面、２２１ｓ，２２２ｓ，３２１ｓ，３２２ｓ・・・傾斜面、３１１・・・被支持孔、３１２・・・駆動軸孔、３２３・・・係止端、３２４，３２５・・・平坦面、４１１，４５１・・・操作部、４１２，４５２・・・軸孔、４１３・・・スライダー駆動軸、４１５・・・レバー係止部、４５３・・・バネ保持部、４５５・・・係止片、５１０・・・支持軸、５１１・・・摺動ピン、５３１・・・ねじ穴、６３１・・・挿通孔、６３５・・・開口部、６３６，６３７・・・スライダー受部、６４１・・・規制凸部、７１１・・・係止凹部、７１１ａ，７１１ｂ・・・フック孔、７４１・・・規制凹部、８１１１・・・撮像部、８１１２・・・ＲＡＷデータ処理部、８１１３・・・ディベイヤ処理部、８１１４・・・増感／減感・ゲイン調整・色空間変換部、８１１５・・・ＩＤＴ処理部、８１１６・・・色修正部、８１１７・・・ＯＤＴ処理部、８１１８・・・コーデック部、８１１９・・・データ処理部、８１２１・・・エフェクティブマーカ合成部、８１２２・・・メタデータ取得部、８１２３・・・入出力部、８１２４・・・ユーザインタフェース部、８１２５・・・表示部、８１３０・・・制御部、８１３３，８３１３，８４１３・・・電源入力コネクタ、８１３５、８３０１、８４０６・・・電源部、８１４０・・・記録媒体挿入口、８３１４，８４１４・・・電源出力コネクタ、８３２１，８４２１・・・バッテリパック取付部、８３２１ａ，８４２１ａ・・・保持凹部、８３２２，８４２２・・・リリースレバー、８３２２ａ，８４２２ａ・・・操作部、８３２２ｂ、８４２２ｂ・・・係止爪、８３２５，８４２５・・・バッテリパックコネクタ、８３２６，８４２６・・・位置決めガイド、８４０１・・・イコライザ、８４０２，８４０７・・・ドライバ、８４０３・・・データ処理部、８４０５・・・制御部、８４１５・・・信号出力端子、８４２７・・・挿入口開閉蓋、８４２８・・・操作レバー、８５０１・・・二次電池、８５０２・・・充放電制御部、８５２１・・・係止凸部、８５２２ｂ・・・係止爪保持部、８５２５・・・接続端子部、８５２６・・・位置決め溝
【図１】
2014065042.tif 000003
【図２】
2014065042.tif 000004
【図３】
2014065042.tif 000005
【図４】
2014065042.tif 000006
【図５】
2014065042.tif 000007
【図６】
2014065042.tif 000008
【図７】
2014065042.tif 000009
【図８】
2014065042.tif 000010
【図９】
2014065042.tif 000011
【図１０】
2014065042.tif 000012
【図１１】
2014065042.tif 000013
【図１２】
2014065042.tif 000014
【図１３】
2014065042.tif 000015
【図１４】
2014065042.tif 000016
【図１５】
2014065042.tif 000017
【図１６】
2014065042.tif 000018
【図１７】
2014065042.tif 000019
【図１８】
2014065042.tif 000020
【図１９】
2014065042.tif 000021
【図２０】
2014065042.tif 000022
【図２１】
2014065042.tif 000023
【図２２】
2014065042.tif 000024
【図２３】
2014065042.tif 000025
【図２４】
2014065042.tif 000026
【図２５】
2014065042.tif 000027
【図２６】
2014065042.tif 000028
【国際調査報告】
2014065042.tif 000029
2014065042.tif 000030